(57)【要約】【課題】ユーザに、緊急メッセージや、規制情報を伝えること。【解決手段】緊急情報を受信するユーザ端末は、緊急情報が受信されたかどうかを判定する緊急情報受信判定部と、該緊急情報が受信されたと判定された場合に、キープアライブパケット、ユーザデータの送信が行われないように制御する送信制御部とを有する。【選択図】図４
2013016892.tif 000002
【特許請求の範囲】
【請求項１】
緊急情報を受信するユーザ端末であって、
緊急情報が受信されたかどうかを判定する緊急情報受信判定部と、
該緊急情報受信判定部により緊急情報が受信されたと判定された場合に、キープアライブパケット、ユーザデータの送信が行われないように制御する送信制御部と
を有する、ユーザ端末。
【請求項２】
請求項１に記載のユーザ端末において、
前記送信制御部は、前記緊急情報が受信された際の当該ユーザ端末の状態がアイドル状態、Ｃｅｌｌ＿ＰＣＨ状態、及びＵＲＡ＿ＰＣＨ状態のいずれかである場合、該緊急情報の受信が終了するまで、Ｃｅｌｌ＿ＦＡＣＨ状態、Ｃｅｌｌ＿ＤＣＨ状態への状態遷移を行わないように制御することにより、キープアライブパケット、ユーザデータ、及びシステムデータのいずれかの送信が行われないように制御する、ユーザ端末。
【請求項３】
請求項１に記載のユーザ端末において、
前記状態遷移制御部は、前記緊急情報が受信された際の当該ユーザ端末の状態がＣｅｌｌ＿ＦＡＣＨ状態である場合、アイドル状態に自動的に遷移するように制御することにより、キープアライブパケット、ユーザデータ、及びシステムデータのいずれかの送信が行われないように制御する、ユーザ端末。
【請求項４】
ページング情報を受信するユーザ端末であって、
ページング情報が受信されたかどうかを判定するページング情報受信判定部と、
該ページング情報受信判定部によりページング情報が受信されたと判定された場合に、該ページング情報が受信された際の当該ユーザ端末の状態がＣｅｌｌ＿ＤＣＨ状態である場合、緊急情報が受信可能となるように制御する状態遷移制御部と
を有する、ユーザ端末。
【請求項５】
緊急情報を受信するユーザ端末における通信方法であって、
緊急情報が受信されたかどうかを判定する緊急情報受信判定ステップと、
該緊急情報受信判定ステップにより緊急情報が受信されたと判定された場合に、キープアライブパケット、ユーザデータの送信が行われないように制御する送信制御ステップと
を有する、通信方法。
【請求項６】
緊急情報を受信するユーザ端末であって、
緊急情報が受信されたかどうかを判定する緊急情報受信判定部と、
該緊急情報受信判定部により緊急情報が受信されたと判定され、且つ当該ユーザ端末が音声通信中、またはデータ通信中である場合に、該音声通信を中断し、音声メッセージにより、前記緊急情報をユーザに通知するように制御する緊急情報通知制御部と
を有する、ユーザ端末。
【発明の詳細な説明】
【技術分野】
【０００１】
本発明は、無線通信システムに関する。
【背景技術】
【０００２】
自然災害などに対する迅速かつ的確な情報配信手段として、緊急情報配信基盤を構築することが求められている。この要望に対して、３ＧＰＰ（３ｒｄ  Ｇｅｎｅｒａｔｉｏｎ  Ｐａｒｔｎｅｒｓｈｉｐ  Ｐｒｏｊｅｃｔ）において「Ｐｕｂｌｉｃ  Ｗａｒｎｉｎｇ  Ｓｙｓｔｅｍ（ＰＷＳ）」と呼ばれる緊急情報配信基盤の検討が開始された。
【０００３】
また、３ＧＰＰにおいて「Ｅａｒｔｈｑｕａｋｅ  ａｎｄ  Ｔｓｕｎａｍｉ  Ｗａｒｎｉｎｇ  Ｓｙｓｔｅｍ（ＥＴＷＳ）が規定された（例えば、非特許文献１参照）。
【０００４】
ＥＴＷＳメッセージは、報知情報として送信される。具体的には、プライマリーノーティフィケイション（Ｐｒｉｍａｒｙ  Ｎｏｔｉｆｉｃａｔｉｏｎ）は報知情報のシステムインフォメーションブロック（ＳＩＢ：  Ｓｙｓｔｅｍ  Ｉｎｆｏｒｍａｔｉｏｎ  Ｂｌｏｃｋ）１０でワーニングタイプ（Ｗａｒｎｉｎｇ  Ｔｙｐｅ）として送信される。また、セカンダリーノーティフィケイション（Ｓｅｃｏｎｄａｒｙ  Ｎｏｔｉｆｉｃａｔｉｏｎ）は報知情報のシステムインフォメーションブロック１１でワーニングメッセージ（Ｗａｒｎｉｎｇ  Ｍｅｓｓａｇｅ）として送信される。
【０００５】
エルティーイー（ＬＴＥ：  Ｌｏｎｇ  Ｔｅｒｍ  Ｅｖｏｌｕｔｉｏｎ）に従った無線通信方式により通信を行うユーザ端末は、ページング（Ｐａｇｉｎｇ）を受信した後に、システムインフォメーションブロック１０、システムインフォメーション１１を受信する。システムインフォメーションブロック１０、システムインフォメーション１１を受信することにより、ＥＴＷＳメッセージを取得できる。
【０００６】
つまり、ネットワーク在圏中に、パケット通信のためのパケット接続を常時可能にできる機能（以下、「オールウェイズオン(Always On)」と呼ぶ）を有し、該オールウェイズオン機能がオンであるユーザ端末であれば、通信状態（ＲＲＣ＿ＣＯＮＮＥＣＴＥＤ状態）であっても、ＥＴＷＳを受信できる。
【先行技術文献】
【非特許文献】
【０００７】
【非特許文献１】３ＧＰＰ  ＴＳ２２．１６８  Ｖ９．０．０  ２００８−０６
【発明の概要】
【発明が解決しようとする課題】
【０００８】
エルティーイーに従った無線通信方式により通信を行うユーザ端末により音声通話が行われている状態で、ＥＴＷＳメッセージが受信された場合には、音声と同時にユーザに通知される。この場合、ユーザにとっては、分かりにくい。
【０００９】
また、ユーエムティーエス（ＵＭＴＳ：  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に従った無線通信方式により通信を行うユーザ端末は、Ｉｄｌｅ状態、ＣＥＬＬ＿ＰＣＨ状態、ＵＲＡ＿ＰＣＨ状態、ＣＥＬＬ＿ＦＡＣＨ状態で、プライマリーノーティフィケイションを受信できる。しかし、該ユーザ端末は、ＣＥＬＬ＿ＤＣＨ状態では、プライマリーノーティフィケイションを受信できない。
【００１０】
また、該ユーザ端末は、ＣＥＬＬ＿ＦＡＣＨ状態、ＣＥＬＬ＿ＤＣＨ状態では、ＥＴＷＳのセカンダリーノーティフィケイションを受信できない。
【００１１】
また、該ユーザ端末は、ＣＥＬＬ＿ＦＡＣＨ状態、ＣＥＬＬ＿ＤＣＨ状態では、ＣＢＳ（Ｃｅｌｌ  Ｂｒｏａｄｃａｓｔ  Ｓｅｒｖｉｃｅ）方式により送信される情報を受信できない。
【００１２】
つまり、オールウェイズオン機能が動作しているユーザ端末であっても、ＣＥＬＬ＿ＤＣＨ状態である場合には、ＥＴＷＳメッセージ、ＣＢＳメッセージを受信できない。
【００１３】
本発明は、上記の点に鑑みてなされたものであり、ユーザに、緊急メッセージや、規制情報を伝えることを目的とする。
【課題を解決するための手段】
【００１４】
上記の課題を解決するために、本ユーザ端末は、
緊急情報を受信するユーザ端末であって、
緊急情報が受信されたかどうかを判定する緊急情報受信判定部と、
該緊急情報受信判定部により緊急情報が受信されたと判定された場合に、キープアライブパケット、ユーザデータの送信が行われないように制御する送信制御部と
を有する、ユーザ端末として達成される。
【００１５】
前記送信制御部は、前記緊急情報が受信された際の当該ユーザ端末の状態がアイドル状態、Ｃｅｌｌ＿ＰＣＨ状態、及びＵＲＡ＿ＰＣＨ状態のいずれかである場合、該緊急情報の受信が終了するまで、Ｃｅｌｌ＿ＦＡＣＨ状態、Ｃｅｌｌ＿ＤＣＨ状態への状態遷移を行わないように制御することにより、キープアライブパケット、ユーザデータ、及びシステムデータのいずれかの送信が行われないように制御するように構成してもよい。
【００１６】
前記状態遷移制御部は、前記緊急情報が受信された際の当該ユーザ端末の状態がＣｅｌｌ＿ＦＡＣＨ状態である場合、アイドル状態に自動的に遷移するように制御することにより、キープアライブパケット、ユーザデータ、及びシステムデータのいずれかの送信が行われないように制御するように構成してもよい。
【００１７】
本ユーザ端末は、
ページング情報を受信するユーザ端末であって、
ページング情報が受信されたかどうかを判定するページング情報受信判定部と、
該ページング情報受信判定部によりページング情報が受信されたと判定された場合に、該ページング情報が受信された際の当該ユーザ端末の状態がＣｅｌｌ＿ＤＣＨ状態である場合、緊急情報が受信可能となるように制御する状態遷移制御部と
を有する、ユーザ端末として達成される。
【００１８】
本ユーザ端末は、
緊急情報を受信するユーザ端末であって、
緊急情報が受信されたかどうかを判定する緊急情報受信判定部と、
該緊急情報受信判定部により緊急情報が受信されたと判定され、且つ当該ユーザ端末が音声通信中、またはデータ通信中である場合に、該音声通信を中断し、音声メッセージにより、前記緊急情報をユーザに通知するように制御する緊急情報通知制御部と
を有する、ユーザ端末として達成される。
【００１９】
また、上記ユーザ端末が実行する通信方法として構成することもできる。
【発明の効果】
【００２０】
開示の実施例によれば、ユーザに、緊急メッセージや、規制情報を伝えることができる。
【図面の簡単な説明】
【００２１】
【図１】無線通信システムの一実施例を示す図である。
【図２】ユーザ端末の状態の一例を示す図である。
【図３】ユーザ端末の一実施例を示す図である。
【図４】ユーザ端末の一実施例を示す機能ブロック図である。
【図５】ユーザ端末の一実施例を示す機能ブロック図である。
【図６】ＥＴＷＳの配信処理の一例を示すシーケンスチャートである。
【図７】ＣＢＳの配信処理の一例を示すシーケンスチャートである。
【図８】ユーザ端末の動作の一実施例を示すシーケンスチャート（その１）である。
【図９】ユーザ端末の動作の一実施例を示すシーケンスチャート（その２）である。
【図１０】ユーザ端末の動作の一実施例を示すシーケンスチャート（その３）である。
【図１１】ユーザ端末の動作の一実施例を示すシーケンスチャート（その４）である。
【図１２】ユーザ端末の動作の一実施例を示すシーケンスチャート（その５）である。
【図１３】ユーザ端末の動作の一実施例を示すシーケンスチャート（その６）である。
【図１４】ユーザ端末の動作の一実施例を示すシーケンスチャート（その７）である。
【図１５】ユーザ端末の動作の一実施例を示すシーケンスチャート（その８）である。
【図１６】ユーザ端末の動作の一実施例を示すシーケンスチャート（その９）である。
【発明を実施するための形態】
【００２２】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２３】
＜実施例＞
＜無線通信システム＞
図１は、無線通信システムの一実施例を示す。
【００２４】
無線通信システムが適用される環境は、第１の無線通信システムと第２の無線通信システムとが、地理的に少なくとも一部において重複する環境であってもよい。第１の無線通信システムは、例えばＵＴＲＡ方式のような第３世代のシステムであるとする。第２の移動通信システムは、ＬＴＥ方式のシステムであるとする。しかし、適用可能な無線通信システムは、ＬＴＥ方式及びＵＴＲＡ方式のシステムに限定されず、他の無線通信システムでもよい。例えば、ＧＥＲＡＮ（ＧＳＭ）、ＣＤＭＡ２０００、ＵＭＴＳ等の方式の無線通信システムや、第４世代の無線通信システム等にも、本発明は適用可能である。具体的には、ＥＴＷＳメッセージ、ＣＢＳメッセージが配信され、ユーザ端末が、該ＥＴＷＳメッセージ、ＣＢＳメッセージを受信できる無線通信システムに適用できる。
【００２５】
図１には、第１の無線通信システムと第２の無線通信システムとが混在する環境の一例を示す。
【００２６】
第１の無線通信システム（３Ｇ）は、ユーザ端末１００１と、ＵＴＲＡ無線基地局（Ｂａｓｅ  Ｓｔａｔｉｏｎ）２００１と、無線ネットワーク制御装置３００とを含む。
【００２７】
ＵＴＲＡ無線基地局２００１は無線ネットワーク制御装置３００と接続され、無線ネットワーク制御装置３００は、コアネットワーク７００と接続される。ＵＴＲＡ無線基地局２００１はセル２５０１をカバーする。ユーザ端末１００１はセル２５０１においてＵＴＲＡ無線基地局２００１とＵＴＲＡ方式により無線通信を行う。ＵＴＲＡ無線基地局２００１は、アクセスポイント（ＡＰ：  Ａｃｃｅｓｓ  Ｐｏｉｎｔ）として言及されてもよい。
【００２８】
図１には、１台のユーザ端末１００１が描かれているが、２台以上であってもよい。また、図１には、無線ネットワーク制御装置３００に１台のＵＴＲＡ無線基地局２００１が接続されているが、２台以上でもよい。また、図１には、１台の無線ネットワーク制御装置３００が描かれているが、２台以上であってもよい。
【００２９】
第２の移動通信システムは、ユーザ端末１００２と、ＬＴＥ無線基地局２００２と、ＭＭＥ４００とを含む。
【００３０】
ＬＴＥ無線基地局２００２はコアネットワーク７００に含まれるＭＭＥ４００と接続される。ＬＴＥ無線基地局２００２によりカバーされるエリアには、セル２５０２が含まれる。ＬＴＥ無線基地局２００２によりカバーされるエリアには、複数のセルが含まれてもよい。該複数のセルには、同一周波数帯で無線通信可能なセルが存在してもよい。該同一周波数帯で無線通信可能なセルは周波数レイヤと呼ばれてもよい。ユーザ端末１００２はセル２５０２においてＬＴＥ無線基地局２００２とＥｖｏｌｖｅｄ  ＵＴＲＡ  ａｎｄ  ＵＴＲＡＮ方式により無線通信を行う。
【００３１】
ＬＴＥ無線基地局（ｅＮＢ：  ｅＮｏｄｅＢ）２００２は、第２の無線通信システム（ＬＴＥ）だけでなく、第１の無線通信システム（３Ｇ）における処理を実行してもよい。第２の移動通信システム（ＬＴＥ）におけるＬＴＥ無線基地局（ｅＮＢ）２００２は、例えば、無線リソースの管理、ＩＰヘッダ圧縮及び暗号処理、ユーザプレーンデータのルーティング、ページングメッセージや報知情報のスケジューリング等を行う。
【００３２】
ＭＭＥ４００は、Ｓ１インターフェースを介してＬＴＥ無線基地局（ｅＮＢ）２００２に結合される。ＭＭＥ４００は、交換局により実現されてもよい。ＭＭＥ４００は、ユーザ端末１００２の移動を管理する。具体的には、３ＧＰＰアクセスネットワーク間における移動管理、トラッキングエリア（位置登録エリア）リストの管理、パケットデータネットワーク（ＰＤＮ）のゲートウェイ（ＧＷ）の選択、サービングゲートウェイ（ＧＷ）の選択、ハンドオーバにおける交換局（ＭＭＥ）の選択、ローミング、認証、無線アクセスベアラ管理、加入者情報の管理、移動管理、発着信制御、課金制御、ＱｏＳ制御等に関する処理を行う。
【００３３】
図１には、１台のユーザ端末１００２が描かれているが、２台以上であってもよい。また、図１には、ＭＭＥ４００に１台のＬＴＥ無線基地局２００２が接続されているが、２台以上のＬＴＥ無線基地局２００２が接続されてもよい。また、図１には、１台のＭＭＥ４００が描かれているが、２台以上であってもよい。
【００３４】
また、ＬＴＥ方式、ＵＴＲＡ方式とは異なる他の無線アクセステクノロジにより無線通信可能なセルが混在していてもよい。該他の無線アクセステクノロジには、ＧＥＲＡＮ（ＧＳＭ）、ＣＤＭＡ２０００が含まれてもよい。さらに、第４世代の移動通信システムが含まれてもよい。該第４世代の移動通信システムには、ＬＴＥ  Ａｄｖａｎｃｅｄが含まれてもよい。
【００３５】
ＬＴＥ無線基地局２００２と無線通信を行うことができるユーザ端末１００２は、ＵＴＲＡ無線基地局２００１とも無線通信を行うことができるものであってもよい。換言すれば、ユーザ端末１００２は、デュアルモード端末であってもよい。デュアルモード端末は、既存の移動通信システム、例えばＵＴＲＡ方式と、ＬＴＥ方式により通信を行うことができる。ユーザ端末１００２に限らず、情報端末、ノートＰＣ、携帯情報端末（ＰＤＡ：  Ｐｅｒｓｏｎａｌ  Ｄｉｇｉｔａｌ  Ａｓｓｉｓｔａｎｔｓ）などの無線通信機能を有する通信装置が含まれてもよい。
【００３６】
ユーザ端末１００１は、ＵＴＲＡ無線基地局２００１から送信されるべきＥＴＷＳメッセージ、ＣＢＳメッセージを受信する。
【００３７】
ＥＴＷＳメッセージは、報知情報として送信される。具体的には、プライマリーノーティフィケイションは報知情報のシステムインフォメーションブロック１０でワーニングタイプとして送信される。また、セカンダリーノーティフィケイションは報知情報のシステムインフォメーションブロック１１でワーニングメッセージとして送信される。
【００３８】
ユーザ端末１００１により遷移可能な状態には、アイドルモード状態と、Ｃｅｌｌ＿ＰＣＨ状態と、ＵＲＡ＿ＰＣＨ状態と、Ｃｅｌｌ＿ＦＡＣＨ状態と、Ｃｅｌｌ＿ＤＣＨ状態とが含まれる。
【００３９】
図２は、ユーザ端末１００１により遷移可能な状態の例を示す。ある状態から遷移可能な状態が矢印により表される。
【００４０】
図２には、ユーザ端末１００１により遷移可能な状態として、アイドル状態、Ｃｅｌｌ＿ＤＣＨ状態、Ｃｅｌｌ＿ＦＡＣＨ状態、Ｃｅｌｌ＿ＰＣＨ状態、ＵＲＡ＿ＰＣＨ状態が示される。ここに示される状態以外の状態を設定することもできる。
【００４１】
（アイドル状態）
ユーザ端末１００１がアイドル状態である場合、個別物理チャネルは割り当てられない。無線アクセスネットワークはアイドル状態のユーザ端末１００１に関して、何の知識ももたず、その存在も位置も知らない。該ユーザ端末１００１は、コアネットワーク７００からの呼び出しを検出するため、ＤＲＸサイクルごとにページングインジケータチャネル（ＰＩＣＨ：  Ｐａｇｉｎｇ  Ｉｎｄｉｃａｔｏｒ  ＣＨａｎｎｅｌ）をモニタする。該ユーザ端末１００１は、システム情報を受信するため、ＢＣＨをモニタする。該ユーザ端末１００１は、どのような上り回線アクティビティも不可能である。ＲＲＣ接続が確立されることにより、アイドル状態から、Ｃｅｌｌ＿ＦＡＣＨ状態、Ｃｅｌｌ＿ＤＣＨ状態に遷移する。
【００４２】
（Ｃｅｌｌ＿ＤＣＨ状態）
ユーザ端末１００１がＣｅｌｌ＿ＤＣＨ状態である場合、個別物理チャネルが上り回線、下り回線に割り当てられる。該ユーザ端末１００１には、現在のアクティブセットについてのセルレベルが通知される。Ｃｅｌｌ＿ＤＣＨ状態には、ＲＲＣ接続のセットアップを経由してアイドリング状態から遷移する場合と、個別物理チャネルの確立によりＣｅｌｌ＿ＦＡＣＨ状態から遷移する場合とがある。
【００４３】
（Ｃｅｌｌ＿ＦＡＣＨ状態）
ユーザ端末１００１がＣｅｌｌ＿ＦＡＣＨ状態である場合、該ユーザ端末１００１には、個別物理チャネルは割り当てられない。該ユーザ端末１００１は、下り回線のＦＡＣＨチャネルをモニタする。該ユーザ端末１００１には、上り回線にデフォルトの共通トランスポートチャネルまたは共有トランスポートチャネルが割り当てられる。具体的には、ＲＡＣＨが割り当てられる。該ユーザ端末１００１のトランスポートチャネルへのアクセス手続きに従って、いつでも使用し得る。該ユーザ端末１００１の位置は、該ユーザ端末１００１がセルアップデートを最後に行ったセルに応じたセルレベルで、ＵＴＲＡＮにより知らされる。
【００４４】
（Ｃｅｌｌ＿ＰＣＨ状態）
ユーザ端末１００１がＣｅｌｌ＿ＰＣＨ状態である場合、該ユーザ端末１００１には、個別物理チャネルは割り当てられない。該ユーザ端末１００１は、コアネットワーク７００からの呼び出しを検出するために、ＤＲＸサイクルごとにＰＩＣＨをモニタする。該ユーザ端末１００１は、システム情報を受信するため、ＢＣＨをモニタする。該ユーザ端末１００１は、どのような上り回線アクティビティも不可能である。該ユーザ端末１００１の位置は、Ｃｅｌｌ＿ＦＡＣＨ状態において、該ユーザ端末１００１がセルアップデートを最後に行ったセルに応じたセルレベルで、ＵＴＲＡＮにより通知される。
【００４５】
（ＵＲＡ＿ＰＣＨ状態）
ユーザ端末１００１がＵＲＡ＿ＰＣＨ状態である場合、該ユーザ端末１００１には、個別物理チャネルは割り当てられない。該ユーザ端末１００１は、コアネットワーク７００からの読み出しを検出するため、ＤＲＸサイクルごとにＰＩＣＨをモニタする。ユーザ端末１００１は、システム情報を受信するため、ＢＣＨをモニタする。該ユーザ端末１００１は、どのような上り回線アクティビティも不可能である。該ユーザ端末１００１の位置は、Ｃｅｌｌ＿ＦＡＣＨ状態において、該ユーザ端末１００１がセルアップデートを最後に行ったセルに応じたセルレベルで、ＵＴＲＡＮにより通知される。
【００４６】
ユーザ端末１００１は、アイドル状態、Ｃｅｌｌ＿ＰＣＨ、ＵＲＡ＿ＰＣＨ状態で、ＥＴＷＳメッセージ、ＣＢＳメッセージを受信することができる。該ユーザ端末１００１は、ＥＴＷＳメッセージ、ＣＢＳメッセージを受信している際には、キープアライブパケット、ユーザデータの送信を行わないように制御する。具体的には、ユーザ端末１００１は、Ｃｅｌｌ＿ＦＡＣＨ状態、Ｃｅｌｌ＿ＤＣＨ状態には遷移しないように制御する。Ｃｅｌｌ＿ＦＡＣＨ状態、Ｃｅｌｌ＿ＤＣＨ状態には遷移しないように制御することにより、該ユーザ端末１００１は、ＥＴＷＳメッセージ、ＣＢＳメッセージを最後まで受信することができる。
【００４７】
また、ユーザ端末１００１は、Ｃｅｌｌ＿ＦＡＣＨ状態で、プライマリーノーティフィケイションを受信した際に、アイドル状態に遷移する。アイドル状態に遷移することにより、該ユーザ端末１００１は、セカンダリーノーティフィケイションを受信することができるため、ＥＴＷＳを最後まで受信することができる。
【００４８】
また、ＵＴＲＡ無線基地局２００１は、Ｃｅｌｌ＿ＤＣＨ状態のユーザ端末に、ページングタイプ２（Ｐａｇｉｎｇ  Ｔｙｐｅ２）メッセージを送信するようにしてもよい。ページングタイプ２メッセージは、Ｃｅｌｌ＿ＤＣＨ状態のユーザ端末１００１でも受信できる。ページングタイプ２メッセージで、プライマリーノーティフィケイションを送信することにより、ユーザ端末１００１は、Ｃｅｌｌ＿ＤＣＨ状態であってもプライマリーノーティフィケイションを受信できる。
【００４９】
また、オールウェイズオンでのキープアライブは、Ｃｅｌｌ＿ＦＡＣＨ状態で実行されるようにしてもよい。また、キープアライブパケットは、共通チャネルで送信されてもよい。
【００５０】
＜ユーザ端末＞
図３は、ユーザ端末１００１、ユーザ端末１００２の一実施例を示す。図３には、主にハードウェア構成が示される。
【００５１】
ユーザ端末１００１、ユーザ端末１００２は、入力部１０２と、出力部１０４と、通信制御部１０６と、無線部１０８と、記憶部１１０と、中央演算処理装置（ＣＰＵ：  Ｃｅｎｔｒａｌ  Ｐｒｏｃｅｓｓｉｎｇ  Ｕｎｉｔ）１１２とを有する。各機能ブロックは、バス１５０により接続される。
【００５２】
ユーザ端末１００１、ユーザ端末１００２は、ユーザが通信することができる適切な如何なる端末でもよく、例えば、携帯電話、情報端末、パーソナルディジタルアシスタント、携帯用パーソナルコンピュータ等が含まれるが、これらに限定されない。
【００５３】
中央演算処理装置１１２は、入力部１０２、出力部１０４、通信制御部１０６、無線部１０８、及び記憶部１１０の制御を行う。中央演算処理装置１１２は、記憶部１１０に記憶されたプログラムに従って機能し、所定の処理を行う。
【００５４】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００１、ユーザ端末１００２上で実行する作業を実施する機能を有するソフトウェアである。オペレーティングシステムは、ユーザ端末１００１、ユーザ端末１００２において、ハードウェアを抽象化したインターフェースをアプリケーションソフトウェアに提供するソフトウェアである。
【００５５】
入力部１０２は、例えば、キーボードやマウスにより構成され、当該ユーザ端末１００１、ユーザ端末１００２への指示や、データの入力を行うための装置である。また、タッチパネルにより構成されてもよい。また、入力部１０２は、例えば、マイクにより構成され、ユーザにより発せられた音声を入力する。該音声には、当該ユーザ端末１００１、ユーザ端末１００２への指示が含まれてもよい。該指示には、オペレーティングシステムに対するものや、アプリケーションに対するものが含まれる。
【００５６】
出力部１０４は、例えば、ディスプレイにより構成され、当該ユーザ端末１００１、ユーザ端末１００２による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイなどが含まれる。
【００５７】
通信制御部１０６は、当該ユーザ端末１００を接続されたネットワークへの上りリンクの信号を生成する。また、通信制御部１０６は、当該ユーザ端末１００と接続された基地局（ＵＴＲＡ無線基地局２００１、ＬＴＥ無線基地局２００２）からの下りリンクの信号を解析する。
【００５８】
無線部１０８は、中央演算処理装置１１２による制御により、ＬＴＥ無線基地局２００１、ＵＴＲＡ無線基地局２００２との間で、所定の無線通信方式により無線通信を行う。該無線通信方式には、ＧＳＭ、Ｗ−ＣＤＭＡが含まれる。また、ＬＴＥが含まれてもよい。例えば、通信制御部１０６により生成された制御情報を無線信号に変換して送信する。また、ＬＴＥ無線基地局２００１、ＵＴＲＡ無線基地局２００２からの無線信号をベースバンド信号に変換する。
【００５９】
＜ユーザ端末１００１の機能＞
ユーザ端末１００１により実行される機能には、ＥＴＷＳメッセージ、ＣＢＳメッセージを受信中である場合には、キープアライブパケット、ユーザデータの送信を行わないように制御する機能が含まれる。具体的には、ＥＴＷＳメッセージ、ＣＢＳメッセージを受信した際の状態がアイドル状態である場合には、Ｃｅｌｌ＿ＦＡＣＨ状態、Ｃｅｌｌ＿ＤＣＨ状態には遷移しないように制御する機能が含まれる。つまり、図２に示される状態遷移図の場合、ＥＴＷＳメッセージ、ＣＢＳメッセージを受信した際の状態がアイドル状態である場合には、状態を遷移させないように制御する。状態を遷移させないように制御することにより、キープアライブパケット、ユーザデータの送信は行われない。
【００６０】
また、ユーザ端末１００１により実行される機能には、ＥＴＷＳメッセージ、ＣＢＳメッセージを受信している際の状態がＣｅｌｌ＿ＰＣＨ、ＵＲＡ＿ＰＣＨ状態である場合には、Ｃｅｌｌ＿ＦＡＣＨ状態には遷移しないように制御する機能が含まれる。Ｃｅｌｌ＿ＦＡＣＨ状態には遷移しないように制御することにより、キープアライブパケット、ユーザデータの送信は行われない。
【００６１】
また、ユーザ端末１００１により実行される機能には、ＥＴＷＳメッセージに含まれるべきプライマリーノーティフィケイションを受信している際の状態がＣｅｌｌ＿ＦＡＣＨ状態である場合には、アイドル状態に遷移するように制御する機能が含まれる。アイドル状態に遷移するように制御することにより、セカンダリーノーティフィケイションを受信できる。
【００６２】
また、ユーザ端末１００１により実行される機能には、ページングタイプ２メッセージを受信した際の状態がＣｅｌｌ＿ＤＣＨ状態である場合には、プライマリーノーティフィケイションを受信するように制御する機能が含まれる。ページングタイプ２メッセージを送信することにより、ユーザ端末１００１にプライマリーノーティフィケイションを受信させることができる。
【００６３】
また、ユーザ端末１００１により実行される機能には、オールウェイズオンでのキープアライブは、Ｃｅｌｌ＿ＦＡＣＨ状態で実行されるように制御する機能が含まれる。Ｃｅｌｌ＿ＦＡＣＨ状態で実行されることによりプライマリーノーティフィケイションを受信できるためである。プライマリーノーティフィケイションを受信したユーザ端末１００１は、アイドル状態に遷移することによりセカンダリーノーティフィケイションを受信できる。
【００６４】
上述した全ての機能の全てをユーザ端末１００１が有する必要はなく、少なくとも１つの機能を有するものであってよい。
【００６５】
図４は、ユーザ端末１００１の一実施例の機能ブロック図を示す。ユーザ端末１００２がデュアル端末であり、ＵＴＲＡ方式に従って機能する場合にも、図４に示される機能が実行される。図４には、中央演算処理装置１１２により実行される機能が主に示される。
【００６６】
ユーザ端末１００１は、緊急情報受信判定部１１２２と、送信制御部１１２４とを有する。
【００６７】
緊急情報受信判定部１１２２には、当該ユーザ端末１００１に、ＥＴＷＳメッセージ、ＣＢＳメッセージが受信されたかどうかを判定する。緊急情報受信判定部１１２２は、ＥＴＷＳメッセージ、ＣＢＳメッセージが受信されたと判定された場合、送信制御部１１２４に、緊急情報が受信されたことを表す情報とともに、該緊急情報の種別を表す情報を入力する。該緊急情報の種別を表す情報には、ＥＴＷＳメッセージに含まれるべきプライマリーノーティフィケイション、セカンダリーノーティフィケイションを表す情報が含まれる。該緊急情報の種別を表す情報には、ＣＢＳを表す情報が含まれる。
【００６８】
送信制御部１１２４は、緊急情報受信判定部１１２２と接続される。送信制御部１１２４は、緊急情報受信判定部１１２２から緊急情報が受信されたことを表す情報が入力された場合に、当該ユーザ端末１００１から、キープアライブパケット、ユーザデータが送信されないように制御する。
【００６９】
送信制御部１１２４は、緊急情報受信判定部１１２２から緊急情報が受信されたことを表す情報が入力された際の当該ユーザ端末１００１の状態を検出する。
【００７０】
送信制御部１１２４は、当該ユーザ端末１００１の状態がアイドル状態であると判断した場合には、Ｃｅｌｌ＿ＦＡＣＨ状態、Ｃｅｌｌ＿ＤＣＨ状態には遷移しないように制御する。つまり、状態遷移が行われないように制御する。
【００７１】
送信制御部１１２４は、当該ユーザ端末１００１の状態がＣｅｌｌ＿ＰＣＨ、ＵＲＡ＿ＰＣＨ状態であると判断した場合には、Ｃｅｌｌ＿ＦＡＣＨ状態には遷移しないように制御する。つまり、状態遷移が行われないように制御する。
【００７２】
送信制御部１１２４は、緊急情報受信判定部１１２２から緊急情報が受信されたことを表す情報が入力された際に、該緊急情報の種別を表す情報として、プライマリーノーティフィケイションを表す情報が入力された際に、当該ユーザ端末１００１の状態がＣｅｌｌ＿ＦＡＣＨ状態であると判断した場合には、アイドル状態に遷移するように制御する。
【００７３】
また、送信制御部１１２４には、当該ユーザ端末１００１にページングタイプ２メッセージが受信された際に、該ページングタイプ２メッセージが受信されたことを表す情報が入力される。送信制御部１１２４は、ページングタイプ２メッセージが受信されたことを表す情報が入力された際に、当該ユーザ端末１００１の状態がＣｅｌｌ＿ＤＣＨ状態であると判断した場合には、プライマリーノーティフィケイションを受信するように、無線部１０８に命令する。ページングタイプ２のメッセージが受信されたことをトリガーとして、プライマリーノーティフィケイションを受信できる。
【００７４】
また、送信制御部１１２４は、オールウェイズオンでのキープアライブは、Ｃｅｌｌ＿ＦＡＣＨ状態で実行されるように制御する。
【００７５】
＜ユーザ端末１００２の機能＞
ユーザ端末１００２により実行される機能には、ＬＴＥ方式により音声通信中に、ＥＴＷＳが受信される際に、音声を自動的に切断する機能が含まれる。データ通信中であってもよい。
【００７６】
また、ユーザ端末１００２により実行される機能には、音声通信を中断して、ＥＴＷＳの情報を取得する機能が含まれる。
【００７７】
また、ユーザ端末１００２により実行される機能には、ＥＴＷＳの情報を取得した後に、アラームを鳴らす機能が含まれる。
【００７８】
また、ユーザ端末１００２により実行される機能には、ＥＴＷＳの情報を通知する機能が含まれる。具体的には、音声メッセージで通知される。
【００７９】
また、ユーザ端末１００２により実行される機能には、中断された音声通話を再開する機能が含まれる。
【００８０】
図５は、ユーザ端末１００２の一実施例の機能ブロック図を示す。図５には、中央演算処理装置１１２により実行される機能が主に示される。
【００８１】
ユーザ端末１００２は、緊急情報受信判定部１１２２と、緊急情報通知制御部１１２６とを有する。
【００８２】
緊急情報受信判定部１１２２には、当該ユーザ端末１００２に、ＥＴＷＳメッセージ、ＣＢＳメッセージが受信されたかどうかを判定する。緊急情報受信判定部１１２２は、ＥＴＷＳメッセージ、ＣＢＳメッセージが受信されたと判定した場合、緊急情報通知制御部１１２６に、緊急情報が受信されたことを表す情報を入力する。緊急情報の種別を表す情報が入力されてもよい。例えば、ＥＴＷＳメッセージに含まれるべきプライマリーノーティフィケイション、セカンダリーノーティフィケイションを表す情報が入力されてもよい。また、例えば、ＣＢＳを表す情報が入力されてもよい。
【００８３】
緊急情報通知制御部１１２６は、緊急情報受信判定部１１２２と接続される。緊急情報通知制御部１１２６は、緊急情報受信検出部１１２２から緊急情報が受信されたことを表す情報が入力された場合に、当該ユーザ端末１００１の状態を判断する。具体的には、緊急情報通知制御部１１２６は、当該ユーザ端末１００１により音声通信が行われているかどうかを判定する。音声通信が行われていると判定した場合、緊急情報通知制御部１１２６は、入力部１０２、出力部１０４による音声通信を中断するように制御するための音声通信制御信号を入力する。緊急情報通知制御部１１２６は、ＥＴＷＳの情報を取得するように制御する。緊急情報通知制御部１１２６は、出力部１０４から、ＥＴＷＳの情報を通知する制御を行う。具体的には、受話音として、ＥＴＷＳの情報を通知する。緊急情報通知制御部１１２６は、音声通信を再開させるための音声通信制御信号を入力する。
【００８４】
＜ＥＴＷＳメッセージの配信処理＞
図６は、ＥＴＷＳメッセージの配信処理の一例が示される。
【００８５】
セルブロードキャストエンティティ（ＣＢＥ：  Ｃｅｌｌ  Ｂｒｏａｄｃａｓｔ  Ｅｎｔｉｔｙ）と、セルブロードキャストセンター（ＣＢＣ：  Ｃｅｌｌ  Ｂｒｏａｄｃａｓｔ  Ｃｅｎｔｅｒ）との間で、緊急情報を配信する際に必要となる情報のやり取りが行われる（ステップＳ６０２）。具体的には、災害の種類を表す情報、配信エリアを表す情報がやり取りされる。
【００８６】
ＣＢＣは、ＥＴＷＳメッセージを作成する（ステップＳ６０４）。
【００８７】
ＣＢＣは、ＣＢＥからの情報に基づいて、ＥＴＷＳ  ＣＢＳを作成する。ＣＢＣは、ＲＮＣ３００に、Ｗｒｉｔｅ−Ｒｅｐｌａｃｅとして、ＥＴＷＳ  ＣＢＳを通知する（ステップＳ６０６）Ｗｒｉｔｅ−Ｒｅｐｌａｃｅには、Ｐａｇｉｎｇ  ＥＴＷＳ  Ｉｎｄｉｃａｔｏｒと、Ｗａｒｎｉｎｇ  Ｔｙｐｅと、Ｗａｒｎｉｎｇ−Ｓｅｃｕｒｉｔｙ−Ｉｎｆｏｒｍａｔｉｏｎとが含まれる。メッセージＩＤとして、ＥＴＷＳ用のメッセージＩＤが利用されてもよい。
【００８８】
ＲＮＣ３００は、ＣＢＣからのＷｒｉｔｅ−ＲｅｐｌａｃｅにＰａｇｉｎｇ  ＥＴＷＳ  Ｉｎｄｉｃａｔｉｏｒが含まれる場合に、ＥＴＷＳとして動作する。つまり、ＥＴＷＳを配信する。ＲＮＣ３００は、ＥＴＷＳとして機能する際に、ユーザ端末１００１に、ＣＴＣＨ（Ｃｏｍｍｏｍ  ｔｒａｆｆｉｃ  ｃｈａｎｎｅｌ）をオンに更新させる。
【００８９】
ＲＮＣ３００は、ページングを送信する（ステップＳ６０８）。該ページングにより、報知情報が更新されたこと、ＷａｒｎｉｎｇＴｙｐｅを通知するようにしてもよい。また、ページングでＤｕｐｌｉｃａｔｉｏｎ  ｄｅｔｅｃｔｉｏｎが実施されてもよい。ＲＮＣ３００は、ページングとともに、プライマリーノーティフィケイションを送信するようにしてもよい。
【００９０】
ＲＮＣ３００は、セカンダリーノーティフィケイションを送信する（ステップＳ６１０）。ＲＮＣ３００は、セカンダリーノーティフィケイションともに、ＢＭＣ  ＣＢＳメッセージを送信するようにしてもよい。
【００９１】
ＲＮＣ３００は、ＣＳＣに、Ｗｒｉｔｅ−Ｒｅｐｌａｃｅ  Ｃｏｍｐｌｅｔｅを送信する（ステップＳ６１２）。
【００９２】
＜ＣＢＳメッセージの配信処理＞
図７は、ＣＢＳメッセージの配信処理を示す。
【００９３】
ＲＮＣ３００に、緊急情報、具体的には地震等が発生したことを表す情報が通知される（ステップＳ７０２）。
【００９４】
ＲＮＣ３００は、ＵＴＲＡ無線基地局２００１に、システムインフォメーションブロックモディファイを通知する（ステップＳ７０４）。
【００９５】
ＵＴＲＡ無線基地局２００１は、ユーザ端末１００１に、システムインフォメーションを通知する（ステップＳ７０６）。該システムインフォメーションブロックには、ＣＴＣＨをオープンにすることを表す情報が含まれる。
【００９６】
ＲＮＣ３００は、ユーザ端末１００１に、ページングタイプ１を送信する（ステップＳ７０８）。
【００９７】
ユーザ端末１００１は、ＣＴＣＨをオープンする。
【００９８】
ＲＮＣ３００は、ユーザ端末１００１に、ＣＢＳメッセージを送信する（ステップＳ７１０）。
【００９９】
ＲＮＣ３００は、ＵＴＲＡ無線基地局２００１に、システムインフォメーションブロックモディファイを通知する（ステップＳ７１２）。
【０１００】
ＵＴＲＡ無線基地局２００１は、ユーザ端末１００１に、システムインフォメーションを通知する（ステップＳ７１４）。該システムインフォメーションブロックには、ＣＴＣＨをクローズすることを表す情報が含まれる。
【０１０１】
ＲＮＣ３００は、ユーザ端末１００１に、ページングタイプ１を送信する（ステップＳ７１６）。
【０１０２】
ユーザ端末１００１は、ＣＴＣＨをクローズする。
【０１０３】
＜ユーザ端末の動作（その１）＞
図８は、ユーザ端末１００１の動作（その１）示す。図８には、主に、送信制御部１１２４により実行される処理が示される。
【０１０４】
ユーザ端末１００１は、Ｃｅｌｌ＿ＦＡＣＨ状態である。
【０１０５】
ユーザ端末１００１は、ネットワークに、メジャメントレポート（Ｍｅａｓｕｒｅｍｅｎｔ  Ｒｅｐｏｒｔ）を送信する（ステップＳ８０２）。
【０１０６】
ネットワークは、ユーザ端末１００１に、トランスポートチャネルリコンフィグレーション（Ｔｒａｎｓｐｏｒｔ  Ｃｈａｎｎｅｌ  Ｒｅｃｏｎｆｉｇｕｒａｔｉｏｎ）を送信する（ステップＳ８０４）。
【０１０７】
ユーザ端末１００１は、ネットワークに、トランスポートチャネルリコンフィグレーションコンプリート（Ｔｒａｎｓｐｏｒｔ  Ｃｈａｎｎｅｌ  Ｒｅｃｏｎｆｉｇｕｒａｔｉｏｎ  Ｃｏｍｐｌｅｔｅ）を送信する（ステップＳ８０６）。
【０１０８】
ユーザ端末１００１は、Ｃｅｌｌ＿ＤＣＨ状態に遷移する。
【０１０９】
＜ユーザ端末の動作（その２）＞
図９は、ユーザ端末１００１の動作（その２）示す。図９には、主に、送信制御部１１２４により実行される処理が示される。
【０１１０】
ユーザ端末１００１は、Ｃｅｌｌ＿ＦＡＣＨ状態である。
【０１１１】
ネットワークから、ユーザ端末１００１に、システムインフォメーションチェンジインジケーション（Ｓｙｓｔｅｍ  Ｉｎｆｏｒｍａｔｉｏｎ  Ｃｈａｎｇｅ  Ｉｎｄｉｃａｔｉｏｎ（ＥＴＷＳ））が送信される（ステップＳ９０２）。
【０１１２】
ユーザ端末１００１は、ネットワークに、メジャメントレポートを送信する（ステップＳ９０４）。
【０１１３】
ネットワークは、ユーザ端末１００１に、トランスポートチャネルリコンフィグレーションを送信する（ステップＳ９０６）。
【０１１４】
ユーザ端末１００１は、ネットワークに、トランスポートチャネルリコンフィグレーションコンプリートを送信する（ステップＳ９０８）。
【０１１５】
ユーザ端末１００１は、Ｃｅｌｌ＿ＤＣＨ状態に遷移する。
【０１１６】
＜ユーザ端末の動作（その３）＞
図１０は、ユーザ端末１００１の動作（その３）示す。図１０には、主に、送信制御部１１２４により実行される処理が示される。
【０１１７】
ユーザ端末１００１は、Ｃｅｌｌ＿ＰＣＨ状態である。
【０１１８】
ユーザ端末１００１は、ネットワークに、セルアップデート（Ｃｅｌｌ  Ｕｐｄａｔｅ）を送信する（ステップＳ１００２）。
【０１１９】
ネットワークは、ユーザ端末１００１に、セルアップデートコンファーム（Ｃｅｌｌ  Ｕｐｄａｔｅ  Ｃｏｎｆｉｒｍ）を送信する（ステップＳ１００４）。
【０１２０】
ユーザ端末１００１は、ネットワークに、無線ベアラリコンフィグレーションコンプリートを送信する（ステップＳ１００６）。
【０１２１】
ユーザ端末１００１は、Ｃｅｌｌ＿ＤＣＨ状態に遷移する。
【０１２２】
＜ユーザ端末の動作（その４）＞
図１１は、ユーザ端末１００１の動作（その４）示す。図１１には、主に、送信制御部１１２４により実行される処理が示される。
【０１２３】
ユーザ端末１００１は、Ｃｅｌｌ＿ＰＣＨ状態である。
【０１２４】
ネットワークから、ユーザ端末１００１に、ページングタイプ１（Ｐａｇｉｎｇ  Ｔｙｐｅ１（ＥＴＷＳ））が送信される（ステップＳ１１０２）。
【０１２５】
ここで、ユーザがユーザ端末１００１を操作したかどうかに係わらず、該ユーザ端末１００１は、プライマリーノーティフィケイションを受信した後、一定時間送信を行わない。該ユーザ端末１００１は、該一定時間の経過後、セカンダリーノーティフィケイションを受信する。
【０１２６】
ユーザ端末１００１は、ネットワークに、セルアップデートを送信する（ステップＳ１１０４）。
【０１２７】
ネットワークは、ユーザ端末１００１に、セルアップデートコンファームを送信する（ステップＳ１１０６）。
【０１２８】
Ｃｅｌｌ＿ＰＣＨ状態のユーザ端末１００１は、ネットワークに、無線ベアラリコンフィグレーションコンプリートを送信する（ステップＳ１１０８）。
【０１２９】
ユーザ端末１００１は、Ｃｅｌｌ＿ＤＣＨ状態に遷移する。
【０１３０】
＜ユーザ端末の動作（その５）＞
図１２は、ユーザ端末１００１の動作（その５）示す。図１２には、主に、送信制御部１１２４により実行される処理が示される。
【０１３１】
ユーザ端末１００１は、アイドル状態である。
【０１３２】
ユーザ端末１００１は、ネットワークに、ＲＲＣ接続要求（ＲＲＣ  Ｃｏｎｎｅｃｔｉｏｎ  Ｒｅｑｕｅｓｔ）を送信する（ステップＳ１２０２）。
【０１３３】
ネットワークは、ユーザ端末１００１に、ＲＲＣ接続セットアップ（Ｓｅｔｕｐ）を送信する（ステップＳ１２０４）。
【０１３４】
ユーザ端末１００１は、ネットワークに、無線ベアラリコンフィグレーションコンプリートを送信する（ステップＳ１２０６）。
【０１３５】
ユーザ端末１００１は、Ｃｅｌｌ＿ＤＣＨ状態に遷移する。
【０１３６】
＜ユーザ端末の動作（その６）＞
図１３は、ユーザ端末１００１の動作（その６）示す。図１３には、主に、送信制御部１１２４により実行される処理が示される。
【０１３７】
ユーザ端末１００１は、アイドル状態である。
【０１３８】
ネットワークは、ユーザ端末１００１に、ページングタイプ１（ＥＴＷＳ）を送信する（ステップＳ１３０２）。
【０１３９】
ここで、ユーザがユーザ端末１００１を操作したかどうかに係わらず、該ユーザ端末１００１は、プライマリーノーティフィケイションを受信した後、一定時間送信を行わない。該ユーザ端末１００１は、該一定時間の経過後、セカンダリーノーティフィケイションを受信する。
【０１４０】
ユーザ端末１００１は、ネットワークに、ＲＲＣ接続要求を送信する（ステップＳ１３０４）。
【０１４１】
ネットワークは、ユーザ端末１００１に、ＲＲＣ接続セットアップを送信する（ステップＳ１３０６）。
【０１４２】
ユーザ端末１００１は、ネットワークに、無線ベアラリコンフィグレーションコンプリートを送信する（ステップＳ１３０８）。
【０１４３】
ユーザ端末１００１は、Ｃｅｌｌ＿ＤＣＨ状態に遷移する。
【０１４４】
＜ユーザ端末の動作（その７）＞
図１４は、ユーザ端末１００１の動作（その７）示す。図１４には、主に、送信制御部１１２４により実行される処理が示される。
【０１４５】
ユーザ端末１００１は、Ｃｅｌｌ＿ＰＣＨ状態である。
【０１４６】
ユーザ端末１００１は、ネットワークに、セルアップデートを送信する（ステップＳ１４０２）。
【０１４７】
ネットワークは、ユーザ端末１００１に、セルアップデートコンファームを送信する（ステップＳ１４０４）。
【０１４８】
ユーザ端末１００１は、ネットワークに、Ｕｔｒａｎモビリティインフォメーションコンファーム（Ｕｔｒａｎ  Ｍｏｂｉｌｉｔｙ  Ｉｎｆｏｒｍａｔｉｏｎ  Ｃｏｎｆｉｒｍ）を送信する（ステップＳ１４０６）。
【０１４９】
ユーザ端末１００１は、Ｃｅｌｌ＿ＦＡＣＨ状態に遷移する。
【０１５０】
＜ユーザ端末の動作（その８）＞
図１５は、ユーザ端末１００１の動作（その８）示す。図１５には、主に、送信制御部１１２４により実行される処理が示される。
【０１５１】
ユーザ端末１００１は、Ｃｅｌｌ＿ＰＣＨ状態である。
【０１５２】
ネットワークから、ユーザ端末１００１に、ページングタイプ１（ＥＴＷＳ）が送信される（ステップＳ１５０２）。
【０１５３】
ここで、ユーザがユーザ端末１００１を操作したかどうかに係わらず、該ユーザ端末１００１は、プライマリーノーティフィケイションを受信した後、一定時間送信を行わない。該ユーザ端末１００１は、該一定時間の経過後、セカンダリーノーティフィケイションを受信する。
【０１５４】
ユーザ端末１００１は、ネットワークに、セルアップデートを送信する（ステップＳ１５０４）。
【０１５５】
ネットワークは、ユーザ端末１００１に、セルアップデートコンファームを送信する（ステップＳ１５０６）。
【０１５６】
ユーザ端末１００１は、ネットワークに、Ｕｔｒａｎモビリティインフォメーションコンファームを送信する（ステップＳ１５０８）。
【０１５７】
ユーザ端末１００１は、Ｃｅｌｌ＿ＦＡＣＨ状態に遷移する。
【０１５８】
＜ユーザ端末１００１の動作（その９）＞
図１６は、ユーザ端末１００１の動作の一実施例を示す。図１６には、オールウェイズオンでのキープアライブの動作について示される。送信制御部１１２４は、キープアライブの動作が行われる際には、Ｃｅｌｌ＿ＦＡＣＨ状態で実行されるように制御する。
【０１５９】
図１６において、無線アクセスネットワーク（ＲＡＮ：  Ｒａｄｉｏ  Ａｃｃｅｓｓ  Ｎｅｔｗｏｒｋ）には、ＵＴＲＡ無線基地局２００１と、無線ネットワーク制御装置３００とが含まれる。
【０１６０】
ユーザ端末１００１に搭載されたオペレーティングシステムから、該ユーザ端末１００１の無線部１０８にキープアライブパケットを送信する命令が行われる（ステップＳ１６０２）。該キープアライブパケットを送信する命令は、例えば周期Tで行われる。該オペレーティングシステムによる命令は、スーパーバイザコール（ＳＶＣ：  Ｓｕｐｅｒ  Ｖｉｓｏｒ  Ｃａｌｌ）と呼ばれてもよい。
【０１６１】
ユーザ端末１００１は、ＯＳからのキープアライブパケットの送信命令に従って、アクティベートパケットデータプロトコルコンテキストリクエスト（Ａｃｔｉｖａｔｅ  ＰＤＰ（Ｐａｃｋｅｔ  Ｄａｔａ  Ｐｒｏｔｏｌ）  Ｃｏｎｔｅｘｔ  Ｒｅｑｕｅｓｔ）をコアネットワーク７００に送信する（ステップＳ１６０４）。ユーザ端末１００１とコアネットワーク７００との間で、無通信監視タイマーｔが起動される（ステップＳ１６０６）。
【０１６２】
ユーザ端末１００１は、ＲＡＮに、シグナリングコネクションリリースインジケーション（Ｓｉｇｎａｌｉｎｇ  Ｃｏｎｎｅｃｔｉｏｎ  Ｒｅｌｅａｓｅ  Ｉｎｄｉｃａｔｉｏｎ（Ｆａｓｔ  Ｄｏｒｍａｎｃｙ））を送信する（ステップＳ１６０８）。
【０１６３】
コアネットワーク７００は、無通信監視タイマーｔが満了する際に、ユーザ端末１００１に、デアクティベートパケットデータプロトコルコンテキストリクエスト（Ｄｅａｃｔｉｖａｔｅ  ＰＤＰ  Ｃｏｎｔｅｘｔ  Ｒｅｑｕｅｓｔ）を送信する（ステップＳ１６１０）。
【０１６４】
該デアクティベートパケットデータプロトコルコンテキストリクエストにより、ユーザ端末１００１においてオールウェイズオンのトリガーが発生する（ステップＳ１６１２）。
【０１６５】
ユーザ端末１００１は、アクティベートパケットデータプロトコルコンテキストリクエストをコアネットワークに送信する（ステップＳ１６１４）。ユーザ端末１００１は、シグナリングコネクションリリースインジケーション（Ｓｉｇｎａｌｉｎｇ  Ｃｏｎｎｅｃｔｉｏｎ  Ｒｅｌｅａｓｅ  Ｉｎｄｉｃａｔｉｏｎ（Ｆａｓｔ  Ｄｏｒｍａｎｃｙ））をＲＡＮに送信する(ステップＳ１６１６)。
【０１６６】
ＯＳから、該ユーザ端末１００１の無線部１０８にキープアライブパケットを送信する命令が行われる（ステップＳ１６１８）。
【０１６７】
ユーザ端末１００１は、ＯＳからのキープアライブパケットの送信命令に従って、データを送信するため、ＲＲＣコネクションリクエスト（ＲＲＣ  Ｃｏｎｎｅｃｔｉｏｎ  Ｒｅｑｕｅｓｔ）をＲＡＮに送信する（ステップＳ１６２０）。ユーザ端末１００１とコアネットワーク７００との間で、無通信監視タイマーｔが起動される（ステップＳ１６２２）。
【０１６８】
ユーザ端末１００１は、コアネットワーク７００に、シグナリングコネクションリリースインジケーション（Ｓｉｇｎａｌｉｎｇ  Ｃｏｎｎｅｃｔｉｏｎ  Ｒｅｌｅａｓｅ  Ｉｎｄｉｃａｔｉｏｎ（ＦａｓｔＤｏｒｍａｎｃｙ））を送信する（ステップＳ１６２４）。
【０１６９】
コアネットワーク７００は、無通信監視タイマーｔが満了する際に、ユーザ端末１００１に、デアクティベートパケットデータプロトコルコンテキストリクエストを送信する（ステップＳ１６２６）。
【０１７０】
該デアクティベートパケットデータプロトコルコンテキストリクエストにより、ユーザ端末１００１においてオールウェイズオンのトリガーが発生する（ステップＳ１６２８）。
【０１７１】
ユーザ端末１００１は、アクティベートパケットデータプロトコルコンテキストリクエストをコアネットワークに送信する（ステップＳ１６３０）。ユーザ端末１００１は、ＲＡＮに、シグナリングコネクションリリースインジケーションを送信する(ステップＳ１６３２)。
【０１７２】
ＯＳから、該ユーザ端末１００１の無線部１０８にキープアライブパケットを送信する命令が行われる（ステップＳ１６３４）。
【０１７３】
本実施例によれば、３Ｇのシステムで、緊急地震速報を受信中には、常時接続でのキープアライブパケット、ユーザデータ、システムデータの送受信は行わないように制御できる。
【０１７４】
具体的には、アイドル状態、Ｃｅｌｌ＿ＰＣＨ状態、ＵＲＡ＿ＰＣＨ状態から、ＣＥｌｌ＿ＦＡＣＨ状態、Ｃｅｌｌ＿ＤＣＨ状態への遷移は、ＥＴＷＳメッセージに含まれるべきプライマリーノーティフィケイションの受信中、及び受信後の一定期間には行わないように制御される。
【０１７５】
また、Ｃｅｌｌ＿ＦＡＣＨ状態からＣｅｌｌ＿ＤＣＨ状態への遷移は、ＥＴＷＳメッセージに含まれるべきプライマリーノーティフィケイションの受信中には行わないように制御される。
【０１７６】
また、本実施例によれば、通信中のユーザ端末に、緊急地震速報が受信可能となる呼出情報を送信することができる。このようにすることにより、Ｃｅｌｌ＿ＤＣＨ状態のユーザ端末でも、ＥＴＷＳメッセージに含まれるべきプライマリーノーティフィケイションを受信可能にできるページングで、ＥＴＷＳメッセージに含まれるべきプライマリーノーティフィケイションを受信するための情報を送信できる。
【０１７７】
また、本実施例によれば、音声通信中に緊急地震速報が送信される場合、音声を切断して、緊急地震速報のアラームを鳴らすことができる。具体的には、音声通信中に緊急地震速報が送信される場合、音声をペンディングして、緊急地震速報のアラームを鳴らし、音声は隠蔽し、アラームを鳴らした後、音声を再開する。
【０１７８】
また、本実施例によれば、音声通信中、またはデータ通信中に緊急地震速報が送信される場合、音声メッセージにて通知できる。アラームが音声メッセージの前後で鳴ってもよい。
【０１７９】
また、本実施例によれば、共通チャネルで、常時接続でのキープアライブパケット、システムデータの送受信を行うことができる。
【０１８０】
説明の便宜上、発明の理解を促すため具体的な数値例を用いて説明されるが、特に断りのない限り、それらの数値は単なる一例に過ぎず適切な如何なる値が使用されてよい。
【０１８１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１８２】
１００１１００２  ユーザ携帯
２００１  ＵＴＲＡ無線基地局
２００２  ＬＴＥ無線基地局
２５０１、２５０２  セル
３００  無線ネットワーク制御装置
４００  ＭＭＥ
１０２  入力部
１０４  出力部
１０６  通信制御部
１０８  無線部
１１０  記憶部
１１２  中央演算処理装置
１１２２  緊急情報受信判定部
１１２４  送信制御部
１１２６  緊急情報通知制御部
【図１】
2013016892.tif 000003
【図２】
2013016892.tif 000004
【図３】
2013016892.tif 000005
【図４】
2013016892.tif 000006
【図５】
2013016892.tif 000007
【図６】
2013016892.tif 000008
【図７】
2013016892.tif 000009
【図８】
2013016892.tif 000010
【図９】
2013016892.tif 000011
【図１０】
2013016892.tif 000012
【図１１】
2013016892.tif 000013
【図１２】
2013016892.tif 000014
【図１３】
2013016892.tif 000015
【図１４】
2013016892.tif 000016
【図１５】
2013016892.tif 000017
【図１６】
2013016892.tif 000018